(57)【特許請求の範囲】
【請求項１】
破損した排水トラップの再生方法であって、
排水が流入する排水口２及び排水を排出する排出口３を備え、内部に排出口３に連通する排出開口部４を備えたトラップ本体１と、
トラップ本体１と組み合わせて封水部Ｓを形成し、排水口２よりも下流側からの逆流を防止する封水部材と、
からなる排水トラップにおいて、
有底筒状にして平面視排水口２よりも小さく排出開口部４よりも大きな形状を成すワン部材７と、
該ワン部材７上に備えたトラップ部と、
から成る補修部材６を用い、
トラップ本体１から封水部材を取り外し、
排出開口部４を補修部材６のワン部材７の開口側にて覆い、ワン部材７の開口とトラップ本体１の内面とを水密的に接続する特徴とする、
破損した排水トラップの再生方法。
【請求項２】
上記破損した排水トラップの再生方法において、
再生する排水トラップを、
有底筒状にして、上方に排水口２を開口すると共に、底面より垂立する、内部に排出口３と連通する排水流路を形成した防臭筒部８を備えたトラップ本体１と、
有底筒状を成す部材であって、開口を下方に向け、内部に上記防臭筒部８を収納するようにしてトラップ本体１内に配置されて封水部Ｓを形成する、封水部材としての防臭オワン５と、
から構成することを特徴とする、上記請求項１に記載の破損した排水トラップの再生方法。
【請求項３】
上記破損した排水トラップの再生方法において、
トラップ本体１の外壁以外の、封水部Ｓを形成する構成の一部または全部を削除した上で、補修部材６を取り付けることを特徴とする、請求項１又は請求項２に記載の破損した排水トラップの再生方法。
【請求項４】
上記破損した排水トラップの再生方法において、
トラップ本体１の内面と補修部材６との間にコーキング用充填剤９を充填した事を特徴とする、請求項１乃至請求項３のいずれか１つに記載の破損した排水トラップの再生方法。
【請求項５】
上記破損した排水トラップの再生方法において、
少なくともトラップ本体１が金属製であることを特徴とする、
上記請求項１乃至請求項４のいずれか１つに記載の破損した排水トラップの再生方法。
【請求項６】
上記破損した排水トラップの再生方法において、
トラップ部を、
軟質素材の筒状の部材であって、上流側端部は円筒形状を成し、下流側端部は対向する面同士が当接することによって閉塞される、自封トラップ１０にて構成したことを特徴とする、
上記請求項１乃至請求項５のいずれか１つに記載の破損した排水トラップの再生方法。
【発明の詳細な説明】
【技術分野】
【０００１】
本発明は使用により排水を生じる機器（以下「排水機器」と呼ぶ）の排水を処理する排水配管に関するものであって、更に詳しくは、排水配管の途中に、臭気や害虫類の、下水側からの逆流を防止する排水トラップ備えた排水配管に関するものである。
【背景技術】
【０００２】
従来より、洗面台、流し台、浴槽や浴室など、他にも厨房や屋外の施設など水に濡れる機会がある床面などには、 生じた排水を下水側の配管に排出するために、排水配管が備えられている。これらのうち、特に下水側から臭気や害虫類が屋内側に逆流することを防止するために、排水トラップと呼ばれる部材を備えた配管を、排水トラップ配管と呼ぶ。
排水トラップとしては、流路の途中に壁を設け、排水が流路において満水状態にて溜まるようにし、臭気などの逆流を防止する排水トラップ等が知られている。
以下に排水トラップを備えた排水配管の従来例を、図２を参照しつつ説明する。
【０００３】
図２に図示した、排水トラップを備えた排水配管は、トラップ本体、防臭オワン、排水管、その他の部材より構成されてなる。尚、以下の部材の内、トラップ本体また防臭オワンは鋳鉄によって構成されてなる。
トラップ本体は以下に記載した本体上部及び本体下部から構成される。
本体上部は、略円筒状の部材であって、上端は床面上に配置されると共に、下端は本体下部の開口に水密的に接続されてなる。また、上端部分の開口に、目皿部材を載置する載置部を備えた排水口を有してなる。
本体下部は、有底円筒状を成す部材であって、上方に排水口を開口すると共に、底面下方中央に円形の排出口を備えてなる。また、この底面に、排出口に連通する円筒状の防臭筒部を垂立するようにして設けてなる。
防臭オワンは、有底筒状を成す部材であって、開口を下方に向け、内部に上記防臭筒部を収納するようにしてトラップ本体内に配置される。
排水管は排出口に接続される管状の部材で、この排水管を介して、排水口が下水側の配管に配管接続される。
目皿部材は円盤状の平板に、通水用のスリットを複数開口した部材である。
排水管は円筒形状の管体であって、上流側の端部はトラップ本体の排出口に、下流側の端部は下水側の配管に、それぞれ接続される。
【０００４】
上記のように構成した排水配管の各部材は、以下のようにして、床面上に取り付けられる。
まず、本体上部と下部を接続してトラップ本体とする。次に、下水側の配管に排水管を接続した上で、トラップ本体の排出口に排水管を接続する。更にトラップ本体の側面方向にコンクリート等を打込み、床面を形成する。
更に、排水トラップ内に防臭オワンを配置し、排水口の載置部に目皿部材を載置して、排水トラップの施工が完了する。
【０００５】
上記のように構成した排水トラップは、以下のようにして使用される。
排水トラップが設置された床面上に排水が生じた場合、排水は、目皿部材のスリットを介して排水口からトラップ内部に流れ込み、防臭オワン側面を流下した後、防臭オワン内部を通過して、防臭筒部上端の位置まで水位が上昇する。更に防臭筒部上端を排水が超えて防臭筒部内部に流れ込み、排出口、排水管を通過し、下水側に排出される。
また、上記のようにして、トラップ本体内部を排水が通過すると、排水時また排水終了後に、防臭オワンの側面とトラップ本体内部の一部、排水が溜まっている部分の流路が常に満水状態となる。下水側から臭気や害虫類が配管内を逆流しても、この満水部分を通過することができないため、臭気や害虫類が下水側から屋内側に逆流することが防止される。
このように、臭気や害虫類などが下水側から屋内側に逆流することを防止する機能を「トラップ機能」、またこのトラップ内に溜まって臭気や害虫類の逆流を防止する排水溜まりを「封水」と呼ぶ。また、このような、封水によって下流側からの臭気や害虫類の逆流を防止する排水トラップを、「封水式排水トラップ」と呼ぶ。
【０００６】
このように構成された排水トラップの問題点として、トラップ本体やオワン部材を鋳物など金属で製造する場合、常に封水部に水が存在しているため、封水に触れている部分が錆びる等して、図３に示したように、腐食する場合があった。特に排水には洗剤などの薬剤が含まれている場合が多く、上水に触れている金属と比べてもこれら薬剤の含まれている排水に触れている金属の方が錆等による腐食が生じやすくなる傾向にあった。
また合成樹脂でトラップ本体などを製造した場合、上記のような腐食を防ぐことはできるが、合成樹脂製トラップは金属製トラップに比べて強度の点で劣るため、屋内の浴室やキッチンの排水トラップに利用するのであればともかく、屋外や業務用厨房など比較的強い衝撃が加えられる可能性のある場所に採用すると、使用時に排水トラップそれ自体が破損する可能性があった。
【０００７】
上記のような問題点を解決するため、特許文献１に記載の発明においては、排水トラップが腐食などにより破損してしまい、トラップ機能を喪失した場合に、図１０に示したように、防臭筒部に内接及び／又は外接する円筒状の補修部材を備え、この円筒状の補修部材を防臭筒部に水密的に接続させた上で、逆流防止弁をこの補修部材に水密的に取り付け、排水トラップを再生する方法を提案している。この方法によれば、上述したように、錆などの腐食により破損した排水トラップのトラップ機能を再生させることができる。
【０００８】
【特許文献１】特開２０１１−１５７８１３号公報
【発明の開示】
【発明が解決しようとする課題】
【０００９】
しかしながら、上記従来例のような排水トラップの再生方法においては、以下のような問題を有していた。
上記従来例の排水トラップの再生方法においては、補修部材を防臭筒部に内接及び／又は外接させた上で水密的に接続させる。このため、排水トラップの防臭筒部の内径及び／又は外径を正確に採寸し、それに合致する補修部材を用意する必要がある。
しかし、排水トラップは製造メーカー毎に当然仕様や形状・寸法が異なるし、また同じメーカーであっても、目的に応じ大型のもの、小型のもの等、やはり仕様や形状・寸法が異なる製品を複数種類提供しているものである。また、排水トラップは何年にも渡って長期間使用されるものであり、その間にメーカーでも仕様変更を行うことで、やはり形状・寸法が変化してゆく。
このように、多種多様な排水トラップが提供されており、更に排水トラップの破損のタイミングも当然まちまちであるため、補修の対称となる排水トラップはほぼ毎回形状・寸法が全く異なるものとなる。
実際にはトラップ本体の内側面の大きさや、排出開口部の大きさは、ある程度の範囲の中に収まるように設計されている。何故なら、排水口と排出口の大きさ、正確には排水口を成す部材が取り付けられる取り付け口の大きさや、排出口に接続される排水配管のパイプの外径は、通常規格化されており、一定の寸法に設定されている。これに対応して、トラップ本体の内側面の大きさは排水口の大きさに、防臭筒部の大きさはトラップ本体の内径の大きさや防臭筒部が連通している排出口の大きさに、それぞれ合わせて設計されるため、トラップ本体の内側面の大きさや、排出開口部の大きさは、ある程度の範囲の中に収まる。例えば、規格としての排水口を成す部材を取り付ける取り付け口の内径が１６０ミリメートルであれば、トラップ本体の内側面の大きさ（内径）は１３０乃至１５０ミリメートルである、というように、ある程度の範囲内に収まる。また、防臭筒部の場合、防臭オワン外側面とトラップ本体内側面の間、防臭オワン内側面と防臭筒部外側面の間、及び防臭筒部内部に排水の流路を形成する必要があるため、いずれかの流路だけが他の流路に比べて極端に広く、又は狭くなることが無いよう、また、連通している排出口とのバランスを取るようにして防臭筒部や防臭オワンの大きさを設計している。このため、同じ場所で同じ目的（例えば浴室の排水口等）に用いられる排水トラップであれば、メーカーや製造時期が異なるとしても、防臭筒部の大きさ（外径）の差異が極端に異なる、という事はない。とはいえ、これは、排水口の大きさ（内径）が１５０ミリメートル程度の排水トラップに対して、防臭筒部の外径が、例えば最小３５ミリメートルから最大５５ミリメートルの間に収まる、と言った程度のものでしかない。上記の事例では、トラップ本体の内側面の大きさ（内径）や、防臭筒部の外側面の大きさ（外径）は、２０ミリメートル程の幅のずれがあり、従来例の補修方法では、単一の補修部材を利用するのであれば対応することができない。
このため、従来例の方法で排水トラップを補修する場合、補修を行う作業者が、まず一度設置されている排水トラップの設置場所に出向き、各部寸法、特に防臭筒部の内径と外径を測定し、適宜寸法の捕集部材を調達した後、再度排水トラップの設置場所に出向いて補修作業を行う必要があり、効率が大変に悪かった。排水トラップの形状・寸法がどの様であっても対応できるよう、多種多様の捕集部材を用意した上で、排水トラップの設置場所に出向くという方法も不可能ではないが、この場合、大量の捕集部材を用意し、移動し、使用しなかった捕集部材を保管又は処分する必要があるなど、極めて無駄が多く、部材管理のコストが増加してしまう、という問題がある。
近年はインターネットなどの普及もあり、補修の依頼者がある程度補修の対象となる排水トラップの情報を画像などで補修作業者に送る事も容易ではあるが、従来例の方法で補修を行う場合、補修部材を防臭筒部に内接及び／又は外接させる関係上、防臭筒部の内径及び／又は外径の値を、１ミリメートル以下の単位で正確に把握しておく必要がある。補修の依頼者が部材の寸法を採寸する技能や機材を持っていることは希であるし、更に防臭筒部の内径及び／又は外径を単純な定規などで正確に採寸することも困難である（通常の定規では１ミリメートル以下の寸法についてはおおよその目分量でしか寸法を確認できない上、正確な採寸の為定規を防臭筒部に当てるには、トラップ本体の開口より小さな長さの定規を用意し、床面に設置された排水トラップ内部をかがんでのぞき込む必要がある）。
更に、破損の補修に用いられる部材である関係上、例えば排水トラップの生産個数が年間１０万台に対して、補修部材は年間１００台に過ぎない、というように、補修部材は決して大量に必要とされる部材ではない。従来例の方法では、この年間１００台の補修部材も、補修対象となる排水トラップ毎に異なるため、実質上、「毎年１００種類の補修部材を１台ずつ」用意する必要がある。このように補修部材は極端な多品種・小ロットな生産を行う必要がある為、工業製品として補修部材を生産することも困難であり、実際の補修作業としては、対象の排水トラップを確認後、必要に応じて既製のパイプなどから寸法の合うものを利用し、場合によっては手作業による加工を行って対応する、という方法を採用せざるを得ず、補修部材それ自体を作る手間も掛かる、と言った問題があった。
本発明は上記問題点に鑑みて成されたものであって、排水トラップについて、排水トラップが破損した場合に、排水トラップを補修する方法に関し、補修部材の共有化により、部材の無駄を無くしつつ、排水トラップのトラップ機能を復活させる、破損した排水トラップの再生方法に関するものである。
【課題を解決するための手段】
【００１０】
請求項１に記載の本発明は、破損した排水トラップの再生方法であって、排水が流入する排水口２及び排水を排出する排出口３を備え、内部に排出口３に連通する排出開口部４を備えたトラップ本体１と、トラップ本体１と組み合わせて封水部Ｓを形成し、排水口２よりも下流側からの逆流を防止する封水部材と、からなる排水トラップにおいて、
有底筒状にして平面視排水口２よりも小さく排出開口部４よりも大きな形状を成すワン部材７と、該ワン部材７上に備えたトラップ部と、から成る補修部材６を用い、トラップ本体１から封水部材を取り外し、排出開口部４を補修部材６のワン部材７の開口側にて覆い、ワン部材７の開口とトラップ本体１の内面とを水密的に接続する特徴とする、破損した排水トラップの再生方法である。
【００１１】
請求項２に記載の本発明は、上記破損した排水トラップの再生方法において、
再生する排水トラップを、有底筒状にして、上方に排水口２を開口すると共に、底面より垂立する、内部に排出口３と連通する排水流路を形成した防臭筒部８を備えたトラップ本体１と、有底筒状を成す部材であって、開口を下方に向け、内部に上記防臭筒部８を収納するようにしてトラップ本体１内に配置されて封水部Ｓを形成する、封水部材としての防臭オワン５と、から構成することを特徴とする、上記段落００１０に記載の破損した排水トラップの再生方法である。
【００１２】
請求項３に記載の本発明は、上記破損した排水トラップの再生方法において、
トラップ本体１の外壁以外の、封水部Ｓを形成する構成の一部または全部を削除した上で、補修部材６を取り付けることを特徴とする、上記段落００１０又は段落００１１に記載の破損した排水トラップの再生方法である。
【００１３】
請求項４に記載の本発明は、上記破損した排水トラップの再生方法において、
トラップ本体１の内面と補修部材６との間にコーキング用充填剤９を充填した事を特徴とする、上記段落００１０乃至段落００１２のいずれか１つに記載の破損した排水トラップの再生方法である。
【００１４】
請求項５に記載の本発明は、上記破損した排水トラップの再生方法において、
少なくともトラップ本体１が金属製であることを特徴とする、上記段落００１０乃至段落００１３のいずれか１つに記載の破損した排水トラップの再生方法である。
【００１５】
請求項６に記載の本発明は、上記破損した排水トラップの再生方法において、
トラップ部を、軟質素材の筒状の部材であって、上流側端部は円筒形状を成し、下流側端部は対向する面同士が当接することによって閉塞される、自封トラップ１０にて構成したことを特徴とする、上記段落００１０乃至段落００１４のいずれか１つに記載の破損した排水トラップの再生方法である。
【発明の効果】
【００１６】
請求項１に記載の本発明は、封水式排水トラップが破損した場合に、排水トラップの封水部材を取り外し、排出口側開口部に、トラップ部を有するワン部材から成る補修部材を被せることで、破損した排水トラップに、再度トラップ機能を付加することができる。
更に請求項１に記載の発明の補修部材は、様々な寸法の排水トラップに対応する事が可能である。例えば、外径１００ミリメートル、内径９４ミリメートルのワン部材からなる補修部材を用意すれば、従来例に示したようなトラップ本体の内側面の大きさ（内径）が１３０乃至１５０ミリメートル、防臭筒部の大きさ（外径）が３５乃至５５ミリメートルの要件を満たす全ての排水トラップに対応することが可能となる。このように、様々な寸法を有する排水トラップの補修を、単一の形状・寸法からなる補修部材によって行うことが可能となるため、部材管理や部材の製造、部材の用意が極めて容易にできるようになった。
請求項２に記載の本発明では、補修される排水トラップの構成を具体的に明示できる。
請求項３に記載の本発明は、封水部の一部又は全部を削除することで、トラップ本体内部に排水が溜まることを防止、または封水部に溜まる溜まり水の量を減少させることができる。
請求項４に記載の本発明は、トラップ本体の内面と補修部材の間にコーキング用充填剤を充填することで、水密性を向上させ、下水側からの臭気の逆流をより一層確実に防ぐと共に、トラップ本体内部に排水が溜まることを防止し、または溜まり水の量を減少させることができる。
請求項５に記載の本発明では、トラップ本体の素材を明確化できる。
請求項６に記載の本発明では、トラップ部の構成を具体的に明示できる。特に、ここで記載した自封トラップは、構成上単純な構造のため、充分な排水性能を確保しつつ、その大きさをコンパクトなものとできるため、本発明のように、トラップ本体内部にトラップ部を配置する補修部材において好適である。
【図面の簡単な説明】
【００１７】
【図１】本実施例の再生が完了した排水トラップを示す断面図である。
【図２】本実施例の破損を生じていない状態の排水トラップを示す断面図である。
【図３】本実施例の破損を生じた状態の排水トラップを示す断面図である。
【図４】本実施例の補修作業中の排水トラップを示す断面図である。
【図５】本実施例の補修部材を示す断面図である。
【図６】本実施例の補修作業中の排水トラップを示す断面図である。
【図７】本実施例の再生が完了した排水トラップの、排水状態を示す断面図である。
【図８】本発明の他の実施例を示す断面図である。
【図９】本発明の再生方法が、様々な形状の排水トラップに対応可能であることを示す参考図である。
【図１０】従来の排水トラップの再生方法を示す断面図である。
【発明を実施するための最良の形態】
【００１８】
以下に、本発明の実施例を、図面を参照しつつ説明する。
図１、参考図４乃至図７に示した、本発明の実施例の排水配管は、以下に記載した、トラップ本体１、防臭オワン５、排水管１１、補修部材６、その他の部材より構成されてなる。尚、以下の部材の内、トラップ本体１また防臭オワン５は鋳鉄によって構成されてなる。
トラップ本体１は以下に記載した本体上部１ａ及び本体下部１ｂから構成される。
本体上部１ａは、略円筒状の部材であって、上端は床面Ｆ上に配置されると共に、下端は本体下部１ｂの開口に水密的に接続されてなる。また、上端部分の開口に、目皿部材１２を載置する載置部１３を備えた排水口２を有してなる。
本体下部１ｂは、有底円筒状を成す部材であって、上方に排水口２を開口すると共に、底面下方中央に円形の排出口３を備えてなる。また、この底面に、排出口３に連通する筒状の防臭筒部８を垂立するようにして設けてなる。この排出口３に連通する防臭筒部８内部が排出開口部４となる。
防臭オワン５は、有底筒状を成す部材であって、開口を下方に向け、内部に上記防臭筒部８を収納するようにしてトラップ本体１内に配置される。
排水管１１は排出口３に接続される管状の部材で、この排水管１１を介して、排水口２が下水側の配管に配管接続される。
目皿部材１２は、円盤状の平板に、通水用のスリットを複数開口した部材である。
排水管１１は円筒形状の管体であって、上流側の端部はトラップ本体１の排出口３に、下流側の端部は下水側の配管に、それぞれ接続される。
補修部材６は、図５に示したような、以下に記載した、ワン部材７と、トラップ部としての自封トラップ１０と、から成る。
ワン部材７は、有底筒状にして平面視排水口２よりも小さく排出開口部４よりも大きな形状を備えてなる。該ワン部材７は補修作業の完了時、開口を下方に向けて配置され、上方の天井部分に、トラップ部としての自封トラップ１０を備えてなる。
自封トラップ１０は、軟質素材の筒体部分を備えた部材であって、筒体部分の上流側端部は円筒形状を成し、下流側端部は対向する面同士が当接することによって閉塞されてなる。また、自封トラップ１０の上端部分から側面方向に向かう突出部１０ａを備え、この突出部１０ａ下面がワン部材７の上面に当接した状態で水密的に固定されてなる。
自封トラップ１０は、上流側から排水が流れ込むと、軟質な素材によって成型されていることと、内部に加わった水圧によって、下流側端部は可撓して内部から押し広げられ、開口して内部の排水を排出する。それ以外の、内部に排水など液体の無い状態では、下端の開口は閉塞しているため、下流側からの臭気や害虫類の上流側への逆流を防止することができる。
【００１９】
上記のように構成した排水配管の内、補修部材６以外の各部材は、以下のようにして、床面Ｆ上に取り付けられる。
まず、本体上部１ａと下部を接続してトラップ本体１とする。次に、下水側の配管に排水管１１を接続した上で、トラップ本体１の排出口３に排水管１１を接続する。更にトラップ本体１の側面方向にコンクリート等を打込み、床面Ｆを形成する。
更に、排水トラップ内に防臭オワン５を配置し、排水口２の載置部１３に目皿部材１２を載置して、図２に示したように、排水トラップの施工が完了する。
【００２０】
上記のように構成した排水トラップは、以下のようにして使用される。
排水トラップが設置された床面Ｆ上に排水が生じた場合、排水は、目皿部材１２のスリットを介して排水口２からトラップ本体１内部に流れ込み、防臭オワン５側面を流下した後、防臭オワン５内部を通過して、防臭筒部８上端の位置まで水位が上昇する。更に防臭筒部８上端を排水が超えて防臭筒部８内部に流れ込み、排出口３、排水管１１を通過し、下水側に排出される。
また、上記のようにして、トラップ本体１内部を排水が通過すると、排水時また排水終了後に、防臭オワン５の側面とトラップ本体１内部の封水部Ｓに封水が形成され、下水側から屋内側に、臭気や害虫類が逆流することが防止される。
【００２１】
段落００１８乃至００２０に記載した排水トラップを、長期間に渡って使用すると、長期間排水に晒されること、また排水にとけ込んだ洗剤などの薬剤の成分などにより、鋳鉄により製造されたトラップ本体１、特に常時封水に晒される防臭筒部８の先端や根元部分等が錆などで腐食し、図３に示したように、穴が開くなどして破損してトラップ機能を喪失する場合がある。
このような場合に、補修部材６を利用し、排水トラップのトラップ機能を再生させる。
具体的には、図４に示したように、排水トラップから目皿部材１２及び防臭オワン５を取り外し、更に防臭筒部８を電動の冶具等を利用し削除する。この時、排出開口部４はトラップ本体１の底面上に形成される。その後、図６に示したように、排出開口部４を覆うようにして、排出開口部４を補修部材６のワン部材７の開口側にて覆い、ワン部材７の開口とトラップ本体１の内面とを水密的に接続する。接着剤やパテ、コーキング剤等でトラップ本体１内面とワン部材７下端の当接部分を水密的に接続した後、更にトラップ本体１内面とワン部材７の間に、防水性を備えたコーキング用の充填剤を充填させてなる。尚、ここで言うコーキング用充填剤９とは、非水溶性で、また水や有機溶媒などにある程度耐性があり、充填時には形状を自在に変形させることができ、排水トラップの使用時には排水の流れに流されることが無いような素材を意味するものであって、シリコーン系接着剤や、特に排水に流されなければ、油粘土などでも構わない。このコーキング用充填剤９を利用することにより、ワン部材７をトラップ本体１に強固に固定すると共に、トラップ本体１とワン部材７との接続の水密性を高めるように構成してなる。尚、本実施例ではコーキング用充填剤９はワン部材７の上縁以上の高さまで盛り上げられて成り、これにより、排水口２から流入した、トラップ本体１内部の排水は、全て自封トラップ１０内部に流れ込み、コーキング用充填剤９上面等に残ることはない。
最後に、再度排水口２の載置部１３に目皿部材１２を載置して、本実施例の排水トラップの再生が完了する。
【００２２】
このようにして再生した排水トラップは、以下のようにして使用される。
排水トラップが設置された床面Ｆ上に排水が生じた場合、排水は、目皿部材１２のスリットを介して排水口２からトラップ本体１内部に流れ込み、トラップ部である自封トラップ１０の上端の位置まで水位が上昇する。更に自封トラップ１０上端を排水が超えて自封トラップ１０内部に流れ込むと、自封トラップ１０内部にある程度排水が溜まった時点で、自封トラップ１０内部に加わった水圧によって、下流側端部は可撓して内部から押し広げられ、図７に示したような状態となり、開口して内部の排水を排出し、更に、排出口３、排水管１１を通過し、下水側に排出される。
それ以外の、自封トラップ１０内部に排水など液体の無い状態では、図１に示したように、下端の開口は閉塞しているため、下流側からの臭気や害虫類の上流側への逆流を防止することができる。
【００２３】
上記のように構成し、再生した排水トラップにおいて、排水トラップ内部に溜まる排水は、自封トラップ１０内部に溜まる排水のみである。これは、自封トラップ１０を開口させることができない程水量が少ないものであり、また排水トラップに排水が流されれば順次新しい排水に入れ替わってゆくため、衛生的に問題が生じることはほとんど無い。再生後に溜まる溜まり水は、水量的には補修前の排水トラップの封水よりも少量であるため、補修前より衛生的であると言える。
【００２４】
本発明の他の実施例として、図８に示したように、コーキング用充填剤９を充填することなく、また防臭筒部８を残したまま、トラップ本体１とワン部材７の間を水密的に接続するだけでも、本発明の目的である、排水トラップへのトラップ機能の再生を行うことができる。但し、コーキング用充填剤９を充填しなかった場合、ワン部外周面とトラップ本体１との間に排水溜まりができ、不衛生であることから、トラップ本体１とワン部材７の間をコーキング剤にて埋めた方が良好な排水トラップであると言うことができる。
また、トラップ本体１の防臭筒部８とワン部材７やトラップ部が干渉する場合は、やはり防臭筒部８を削除する必要がある。
また、防臭筒部８を削除しなかった場合、ワン部材７内周面と防臭筒部８外周面との間に排水溜まりができ、不衛生であることから、防臭筒部８を削除した方が良好な排水トラップであると言うことができる。
【００２５】
上記した、本発明の排水トラップの再生方法では、従来例の補修部材６を防臭筒部８に当接させるのとは違い、防臭筒部８に補修部材６のワン部材７を当接させる必要がない。むしろワン部材７を防臭筒部８やトラップ本体１内部には当接しないように、若干の隙間を有している方が好適である。
そして、本発明の排水トラップの再生方法では、同一形状・寸法の補修部材６を、複数種類の、形状／寸法の異なる排水トラップの補修に利用することができる。例えば、外径１００ミリメートル、内径９４ミリメートルのワン部材７を採用した補修部材６を用いる場合、トラップ本体１の内径が１００ミリメートル以上且つ防臭筒部８の外径が９４ミリメートル以下であれば、全ての排水トラップの補修に利用することができる。つまり、段落０００９に記載した従来例の排水トラップのように、トラップ本体１の内径が１３０乃至１５０ミリメートル、防臭筒部８の外径が３５乃至５５ミリメートルの排水トラップであれば、全て利用することができる。前述のように、排水トラップの取り付け口や接続するパイプの規格の関係から、排水口２や防臭筒部８の大きさは「ある程度の範囲」に収束するものであり、本発明の補修部材６は、その「ある程度の範囲」のほぼ全てを、単一の形状・寸法のワン部材７にて対応する事が可能とすることができる。
図９に示した参考図はその一例で、中心線の左右にて防臭筒部８の外径またトラップ本体１の内径がそれぞれ異なるが、補修部材６のワン部材７については左右とも同じ内径・外径を有しており、この補修部材６によって支障無く排水トラップを再生した状態となっている。
尚、上記した構成は、トラップ本体１の内径や防臭筒部８の外径等、排水トラップの水平方向の要素に対して補修部材６が対応可能であることを説明しているが、鉛直方向に対しても、防臭筒部８内などにトラップ部が収納可能であれば特に支障無く補修部材６が対応可能であるし、もし防臭筒部８にトラップ部が干渉するようであっても、防臭筒部８を上記実施例の用に電動の冶具などを用い、削除することで、防臭筒部８にトラップ部が干渉すること無いようにすることができ、鉛直方向の要素に対しても、支障無く対応することができる。
このように、様々な形状・寸法の排水トラップの補修作業を単一形状・寸法の補修部材６で対応することができるようになったため、補修作業者が、事前に現場を訪問して採寸などを行う必要はほぼ無くなった。もちろん、修理というイレギュラーな問題への対応のため、事前に不備がないかを確認する方が好適であるが、本発明では、対応可能な排水トラップの形状・寸法の幅が広いため、事前に補修の依頼者が、定規を排水口２に載せた状態の画像、及びトラップ本体１の内部を撮影し、インターネット回線などを利用し補修の作業者に送信すれば、補修の作業者が補修作業の対象となる排水トラップの概略の寸法や本体内部の形状を把握でき、誤差を考慮しても、共通の補修部材６で補修を行うことに支障がないことを確認できれば、補修作業者が、事前に現場を訪問して採寸などを行う必要は無い（例外的に、画像等を通じ、共通の補修部材６で補修を行うことに支障があると判断された場合は、事前に補修対象の排水トラップを、補修作業者が確認し、対応を検討する必要がある）。
また、ほぼ全ての補修作業を単一形状・寸法のワン部材７で対応することから、例えば補修作業が年間１００台に過ぎない場合でも、この１００台のほぼ全てを同一の形状・寸法の補修部材６で対応することができることとなった。
このため、ワン部材７を含む補修部材６を工業的に生産しても、少数生産の工業製品としてコスト的に引き合うような数量を確保できるようになるなど、部材の単一化によるメリットを得ることもできるようになった。
【００２６】
本発明の実施例は以上のようであるが、本発明は上記実施例に限定されるものではなく、主旨を変更しない範囲において自由に変更が可能である。
例えば、上記実施例では、トラップ本体１を鋳鉄にて構成してなるが、本発明は上記実施例に限定されるものではなく、トラップ本体１や関連部材を樹脂材料にて構成するようにしても構わない。
【符号の説明】
【００２７】
１      トラップ本体          １ａ    本体上部
１ｂ    本体下部              ２      排水口
３      排出口                ４      排出開口部
５      防臭オワン            ６      補修部材
７      ワン部材              ８      防臭筒部
９      コーキング用充填剤    １０    自封トラップ
１０ａ  突出部                １１    排水管
１２    目皿部材              １３    載置部
Ｂ      破損個所              Ｆ      床面
Ｓ      封水部
【図１】
0005793740.tif 000002
【図２】
0005793740.tif 000003
【図３】
0005793740.tif 000004
【図４】
0005793740.tif 000005
【図５】
0005793740.tif 000006
【図６】
0005793740.tif 000007
【図７】
0005793740.tif 000008
【図８】
0005793740.tif 000009
【図９】
0005793740.tif 000010
【図１０】
0005793740.tif 000011